(57)【特許請求の範囲】
【請求項１】
底部に錘（６０）を螺合し、側周部に穴（１２）を多数開け、こませを上部開放口（１３）から入れる有底円筒形のかご本体（１０）と、かご本体（１０）の上部両側部を吊支持する二股アーム（２０）を下部に有する支持柄（４０）とを備えたこませかごにおいて、
前記支持柄（４０）と二股アーム（２０）の根部との接合部にかご本体（１０）の上部開放口（１３）の内径部を開閉する円盤状の蓋（５０）を設け、二股アーム（２０）の先端内側に支持軸（３０ａ，３０ｂ）を設け、かご本体（１０）の側周部に所定長さの縦スリット（７０ａ）（７０ｂ）を設け、上記支持軸（３０ａ，３０ｂ）を縦スリット（７０ａ）（７０ｂ）に上下のみ移動可能に挿入して支持し、縦スリット（７０ａ）（７０ｂ）の中央部を狭くして支持軸（３０ａ，３０ｂ）を通り難くし、縦スリット（７０ａ）（７０ｂ）の下部に支持軸（３０ａ，３０ｂ）を位置させて支持柄（４０）による蓋閉め状態を維持し、縦スリット（７０ａ）（７０ｂ）の上部に支持軸（３０ａ，３０ｂ）を位置させて支持柄（４０）による蓋開け状態を維持するように構成し、縦スリット（７０ａ，７０ｂ）の中央部の両側に二股アーム（２０）の縦スリット（７０ａ，７０ｂ）に沿った上下移動を案内するガイド（８０ａ，８０ｂ）を設け、かご本体（１０）の上部開放口（１３）には、二股アーム（２０）による支持軸（３０ａ，３０ｂ）部の直上部を谷部（９０ａ）とし支持軸（３０ａ，３０ｂ）部間を山部（９０ｂ）とするこませ掻き取りベロー（９０）を形成したことを特徴とするこませかご。
【発明の詳細な説明】
【技術分野】
【０００１】
本発明は、海つりに使用する「こませ」を詰める籠所謂こませかごに関するものである。
【背景技術】
【０００２】
従来からのこませかごは、プラスチック又は金属製の網目状のかごを主体にその上端縁部に対峙する二箇所を釣糸又はステンレス製の細い針金で固定し、該釣糸又はステンレス製の細い針金の中央部に釣糸を結びつけ、こませかごの底部におもりを固着した構造であった。
このためこませかごを片手で固定し、アミエビから成るこませを、スプ−ンや手で掴み直接こませかごの中にいれていた。高蛋白質のあみえびから成るこませは、通常、適宜サイズのブロックにされ冷凍されているが、冷凍が解けると、悪臭を放ち、こませが手につくと、手に悪臭が染みつき、その手で釣竿を掴むと、釣竿に悪臭が移り、また手で服をなでると、服に悪臭が染みつき、不快感を与えるものであった。
鯖、鰯等のように大群をなして回遊する魚類を釣る場合には、あみえびをこませにして、サビキという疑似針が多数ついた仕掛けで、数釣をするが、釣果を上げるためには、大群がとどまっている間に、迅速にこませをかごに詰め、いかに早く手返をするかが決め手になる。
この場合、従来のこませかごでは、前記のスプ−ンでこませを手で触れないように詰めることはもどかしく、殆どの釣人は無我夢中で、こませを直接手で掴みこませかごに詰めるため、後で耐えがたい悪臭に悩まされるものであった。
【０００３】この従来のこませかごの問題を解決するために本発明者は、特許文献１により、こませに手を触れることなく、迅速にこませかごにこませを詰めることができるこませかごを提供した。
特許文献１に記載のこませかごは、上部に、逆Ｙ字状の柄を回動可能に取り付け、逆Ｙ字状の柄の中空の主柱の中空部に、下方への押圧力を備えた杆を装着し、この杆の下端先端部に前記かごの蓋を取り付け、さらに必要に応じて、かごの上縁の一部又は全周に削り刃を取り付け、かごの底部にはおもりを着脱可能に取り付、前記主柱の中空部の上部にはスプリングを装着し、主柱の壁面にはスリットと前記杆に取り付けたレバーを係止できる係止用の切り欠をが設け、レバーがスリットを上下に移動できるようにしたものである。
【特許文献１】特許第２６５２６１６号公報  つまり、上記の特許文献１に記載のこませかごは、主柱を手で支持して主柱とは別に手で操作する開閉式のかご蓋を、かごの上部を軸支する逆Ｙ型の中空主柱に内装した押圧式のスプリング杆で支持し、かごの上端の円周縁に削り刃を設けたものであるが、主に次の欠点がある。１．かごの蓋は、中空主柱に内設した押圧式のスプリング杆の先端に固定した複雑な機構で故障が頻発する。２．鯖、鰯等のように大群をなして回遊する魚類を釣る場合には、前術のようにサビキという疑似針が多数ついた仕掛けでの数釣になる。しかしこれは蓋を開放のままこませかごを海に投げ入れなければ海中でのこませ撒きをすることができないが、投げ込み中に、こませが空中や目的の深さの海中に至る途中の浅い海中で落ちこぼれて無駄な散乱ロスが多く、サビキによる数釣の釣果を上げることが甚だ困難である。３．低温塊のこませをかごに入れるのは、かご蓋の押し圧を解除して開放し、かごの円周縁の直線状の削り刃で掻き取り収容する作業となり、煩雑で時間がかかり、また削り刃の曲がり損傷や刃こぼれ損傷も激しく消耗交換が著しい。
【発明の開示】
【発明が解決しようとする課題】
【０００４】
本発明は、簡単な堅牢構造でしかも支持棒（柄）のみによる操作のみで、かごへのこませ入れの際は迅速且つ容易にかごへの蓋の開閉を行い、更に低温塊に限らず常温のこませを、迅速簡単にかごに入れることを可能にし、またサビキという多数の疑似針をつけた仕掛けでに用いても海中で適時適所で迅速にかごからの蓋の開放を行い、こませを撒くことができるこませかごを提供するものである。
【課題を解決するための手段】
【０００５】
本発明は上記問題を解決するためになされたものでありその特徴とするところは、次の（1）〜（3）にある。
（1）、底部に錘を螺合し、側周部に穴を多数開け、こませを上部開放口から入れる有底円筒形のかご本体と、かご本体の上部両側部を吊支持する二股アームを下部に有する支持柄とを備えた「こませかご」において、二股アームの先端内側に支持軸を設けると共に、かご本体の側周部に所定長さの縦スリットを設け、二股アームの支持軸を縦スリットに上下のみ移動可能に挿入して支持し、この縦スリットの中央部の両側に二股アームが縦スリットに沿った上下移動を案内するガイドを設け、前記支持棒と二股アームの根部との接合部にかご本体の上部開放口の内径部を開閉する円盤状の蓋を設け、かご本体の上部開放口には、二股アームによる支持部の直上部を谷部とし支持部間を山部とするこませ掻き取りベローを形成したことを特徴とするこませかご。
（2）、前記二股アームの外側に糸巻き溝を形成し、前記かご本体の底部外周に巻き糸ガイド突起を設けたことを特徴とする上記（1）に記載のこませかご。
（3）、前記支持柄の上端部に釣針糸を通し釣針の釣針糸結び部を挿入可能にした切り込みを形成してなる釣針取りフックを設けたことを特徴とする上記（1）又は（2）に記載のこませかご。
【発明の効果】
【０００６】
本発明は、上記構成により、堅牢で簡単な構造のこませかごとなり、しかも支持棒（柄）のみによる操作のみで、かごへのこませ入れの際は、迅速且つ容易にかごへの蓋の開閉を行い、更に低温塊に限らず常温のこませを、掻き取りベローにより迅速簡単にかごに入れることを可能にし、またサビキという多数の疑似針をつけた仕掛けでに用いても、海中に投げ入れた後に、海中の適所への沈降深さを見図からい、竿をしゃくって支持棒を上に引き上げるのみで蓋をタイミング良く開け中のこませを迅速にかごから外に撒きことができ、サビキによる数釣の釣果を確実に上げることがものである。
また、サビキ釣り後には、その釣り針をかご本体の側周部の穴に掛け、針糸を二股アームの糸巻き溝に沿ってかご本体の側周部に巻き、糸ガイド突起と共に巻き糸の外れ乱れを防止しながら、次の準備を簡単迅速に完了しておくことができるものである。更に支持柄の上端部に釣針取りフックを設けてあるから、釣り上げた魚が飲み込んだ釣針を糸伝いに捕らえて簡単に取り除くことができる。
【発明を実施するための最良の形態】
【０００７】
発明を実施するための最良の形態を次の実施例により詳細に説明する。
【実施例１】
【０００８】図１〜図３は本発明の実施例を示す説明図であり、図１は、正面図であり、（１）は二股アーム２０とかご本体１０の構成が解るように分離して示し、（２）は通常使用時の円盤蓋５０開けて二股アーム２０でかご本体１０をぶら下げた状態を示し、（３）はかご本体１０にこませを入れた後二股アーム２０を上下案内ガイド８０に沿って下げて円盤蓋５０でかご本体１０の上部開放口１３を閉めた状態を示す。
図２は図１の（１）から（３）に夫々対応した側面図である。図３は図１（２）と図２の（２）に示す状態から、かご本体１０を横にして、こませを掻り入れる状態を示す側面図である。
図１〜図３において、「こませかご」は、かご本体１０と、二股アーム２０と、その支持軸３０ａ、３０ｂと、支持柄４０と、円盤蓋５０と、錘６０と、縦スリット７０ａ、７０ｂと、二股アーム２０用の上下案内ガイド８０ａ、８０ｂと、こませ掻き取りベロー９０ｂとを主な構成部としてある。かご本体１０は、かご本体１０の底部外周に巻き糸ガイド突起１１を設け、底部に錘６０を交換可能に螺合し、側周部に水抜き兼針掛け用の穴１２を多数開け、こませを上部開放口１３から入れる有底円筒形にしたものである。
支持柄４０は、上端部に釣針取りフック４１を設け、下端に二股アーム２０を接続すると共に円盤蓋５０を接続支持する。
二股アーム２０の先端内側に支持軸３０ａ、３０ｂを設け、支持軸３０ａ、３０ｂをかご本体１０の縦スリット７０ａ、７０ｂに上下移動可能に挿入して吊支持する。
縦スリット７０ａ、７０ｂは、かご本体１０の側周部に所定長さで設けてあり、中央部は狭くして支持軸３０ａ、３０ｂを通り難くして、その下部に支持軸３０ａ、３０ｂを位置させて支持柄４０による蓋閉め状態を維持し、上部に支持軸３０ａ、３０ｂを位置させて支持柄４０による蓋開け状態の維持をする。
二股アーム２０用の上下案内ガイド８０ａ、８０ｂは、縦スリット７０ａ、７０ｂの中央部の両側に二股アーム２０が縦スリット７０ａ、７０ｂに沿った上下移動を案内する。前記二股アーム２０の外側には、糸巻き溝１００を形成してある。
円盤蓋５０は、前記支持柄４０と二股アーム２０の根部との接合部に設け、かご本体１０の上部開放口１３の内径部を開閉する。
こませ掻き取りベロー９０ａは、かご本体１０の上部開放口１３に、縦スリット７０ａ、７０ｂ上端の二股アーム２０の支持軸３０ａ、３０ｂを支持する部分の直上部を谷部９０ａとし支持部間を山部９０ｂとしたウェーブ形成部の山部９０ｂである。しかもかご本体１０と一体的に湾曲させて形成した堅牢型のものであり閉めた円盤蓋５０のストッパ機能もする。こませ掻き取りベロー９０によるこませ掻き取りは図３に示す。支持柄４０を引き上げて円盤蓋５０を開けた状態でかご本体１０を横にしてこませ表面に置き縦状態の支持柄４０を移動させてこませをかご本体１０内に掻きいれる簡単なものである。
以上の実施例の作用効果は上記の発明の効果に記載した通りの効果を十分に得ることができ満足するものであった。
【産業上の利用可能性】
【０００９】
以上の説明で明らかなように本発明の「こませかご」は、実用的に堅牢な簡単構造でしかも素人でも十分に活用することができる優れた機能を有し、漁業産業に多大な貢献をするものと大いに期待されるものである。
【図面の簡単な説明】
【００１０】
【図１】本発明の１実施例を示す正面説明図である。
【図２】本発明の１実施例を示す側面説明図である。
【図３】こませを掻り入れる状態を示す側面図である。
【符号の説明】
【００１１】
10    かご本体
20   二股アーム
80a,80b  上下案内ガイド
90a  ベロー
50   円盤蓋
40    支持柄
70a,70b   縦スリット
【図１】
0004793597.tif 000002
【図２】
0004793597.tif 000003
【図３】
0004793597.tif 000004